(57)【要約】【課題】一方と他方との受信系の中間周波信号を同相合成する無線受信装置に関し、何れか一方の受信断を行う時の急激なレベル変化を防止して、エラー発生を回避する。【解決手段】中間周波信号を同相合成する同相合成回路６の前段に接続した一方と他方との受信系対応の可変減衰器５ａ，５ｂと、受信断とする受信系を選択する受信系選択スイッチ部１４と、この受信系選択スイッチ部１４により選択した受信系の受信信号レベルをレベル検出器１１により検出してホールドする電圧ホールド回路１２と、この電圧ホールド回路１２によりホールドされた受信信号レベルに対応した初期減衰量制御電圧を出力し、所定時間経過に従って最大減衰量制御電圧に変化させる減衰量制御電圧を、受信系選択スイッチ部１４により選択した受信系対応の可変減衰器に入力する制御電圧生成部１３とを備えている。【選択図】図１
2008283511.tif 000002
【特許請求の範囲】
【請求項１】
一方と他方との受信系の受信信号を同相合成する同相合成手段を含む構成の無線受信装置に於いて、
前記同相合成手段の前段に接続した前記一方、他方の受信系のそれぞれに対応する可変減衰手段と、
受信断とする受信系を選択する受信系選択スイッチ部と、
該受信系選択スイッチ部により選択した受信系の受信信号レベルを検出してホールドする電圧ホールド手段と、
該電圧ホールド手段によりホールドされた受信信号レベルに対応した初期減衰量制御電圧を出力し、所定時間経過に従って最大減衰量制御電圧に変化させる減衰量制御電圧を、前記受信系選択スイッチ部により選択した受信系対応の前記可変減衰手段に入力する制御電圧生成部と
を備えたことを特徴とする無線受信装置。
【請求項２】
前記受信系選択スイッチ部は、前記一方と前記他方との何れかの受信系の選択操作と連動する前記電圧ホールド手段の起動用の切替接点と、選択した受信系の受信信号レベルを検出するレベル検出器に入力する切替接点と、選択した受信系対応の前記可変減衰手段に前記制御電圧生成部からの減衰量制御電圧を入力する切替接点とを含む構成を有することを特徴とする請求項１記載の無線受信装置。
【発明の詳細な説明】
【技術分野】
【０００１】
本発明は、一方の受信系と他方の受信系との受信信号を同相合成する構成を含む無線受信装置に関する。
【背景技術】
【０００２】
マイクロ波帯無線通信システムに於いては、フェージングの発生確率が高い伝搬路によるフェージングの影響を軽減する為に、スペースダイバーシチ方式を適用する場合が多く、又変調方式は、ＱＡＭ（Ｑｕａｄｒａｔｕｒｅ  Ａｍｐｌｉｔｕｄｅ  Ｍｏｄｕｌａｔｉｏｎ）方式を適用する場合が多いものであり、スペースダイバーシチ方式による一方の受信系と他方の受信系との受信信号を中間周波信号に変換して同相合成し、合成した中間周波信号を復調する構成が適用されている。例えば、図３に示すように、一方と他方との受信系（受信系１、受信系２）のアンテナ３１ａ，３１ｂと、低雑音増幅器３２ａ，３２ｂと、周波数変換器（ＲＦ／ＩＦ）３３ａ，３３ｂと、局部発振器３４と、中間周波増幅器３５ａ，３５ｂと、同相合成回路３６と、自動レベル制御増幅器（ＡＬＣ）３７とを含む構成を備え、アンテナ３１ａ，３１ｂにより受信した受信系１と受信系２との同一無線周波数の受信信号を、低雑音増幅器３２ａ，３２ｂにより増幅し、周波数変換器３３ａ，３３ｂにより中間周波信号に変換し、中間周波増幅器３５ａ，３５ｂにより増幅し、ＩＦ同相合成として示すように、同相合成回路３６により同相合成して自動レベル制御増幅器３７により増幅し、図示を省略した復調器に入力する。なお、同相合成する為の位相制御手段と復調器と復号器等については図示を省略している。又無線中継伝送システムの場合は、無線受信装置と無線送信装置とを含む構成となる。
【０００３】
又スペースダイバーシチ方式を適用して同相合成する手段を含む無線受信装置に於いて、電源投入により受信動作を開始させる場合に、合成器に入力する一方と他方との受信信号（中間周波信号）の位相が逆位相となると、合成出力信号レベルは零となる。そこで、一方と他方との受信信号の位相比較を行い、例えば、他方の受信信号の位相を回転させる移相器を位相比較結果に応じて制御して、同相合成する手段が知られている（例えば、特許文献１参照）。
【０００４】
又一方の受信系の周波数変換を行う為の局部発振器と、他方の受信系の周波数変換を行う為の局部発振器との位相を比較して位相同期化を図る手段を含む無線受信装置に於いて、他方の受信系の位相同期の異常を検出した時に、この他方の受信系の中間周波信号を減衰器により減衰させ、位相同期が正常に復帰した場合、減衰器の減衰量を徐々に少なくなるように制御する手段が知られている（例えば、特許文献２参照）。又同相合成スペースダイバーシチ方式に於いて、所望の受信信号か否かを判定してスケルチを行う構成も提案されている（例えば、特許文献３参照）。
【特許文献１】特開平５−１９１３２１号公報
【特許文献２】特開平５−３３６０１０号公報
【特許文献３】特開平１０−１０６７５８号公報
【発明の開示】
【発明が解決しようとする課題】
【０００５】
各種のシステムに於いては、保守作業の為に一部の動作を停止させる場合があり、例えば、スペースダイバーシチ方式を適用したマイクロ波帯無線システムに於いて、保守を含む作業等により、一方の受信系を断とすることがある。その場合、他方の受信系による受信信号が処理されることになるが、同相合成の為の一方の信号が断となるから、同相合成出力信号のレベルはほぼ半分となる。例えば、図３に於ける同相合成回路３６の後段に自動レベル制御増幅器３７を設けているが、その自動レベル制御増幅器３７のレベル制御利得は、通常の受信時の変動を吸収できる程度に設定されているから、入力される同相合成出力信号の受信断時の急激なレベル変動には追従できないことになる。その結果、自動レベル制御増幅器３７の後段の図示を省略している復調器に入力される信号レベルが急変することにより、エラーが多発する問題がある。
【０００６】
本発明は、前述の従来の問題点を解決することを目的とし、比較的簡単な構成により、何れか一方の受信系の受信断を必要とする場合に、エラー発生を回避するものである。
【課題を解決するための手段】
【０００７】
本発明の無線受信装置は、一方と他方との受信系の受信信号を同相合成する同相合成手段を含む構成の無線受信装置であって、同相合成手段の前段に接続した一方、他方の受信系のそれぞれに対応する可変減衰手段と、受信断とする受信系を選択する受信系選択スイッチ部と、この受信系選択スイッチ部により選択した受信系の受信信号レベルを検出してホールドする電圧ホールド手段と、この電圧ホールド手段によりホールドされた受信信号レベルに対応した初期減衰量制御電圧を出力し、所定時間経過に従って最大減衰量制御電圧に変化させる減衰量制御電圧を、受信系選択スイッチ部により選択した受信系対応の可変減衰手段に入力する制御電圧生成部とを備えている。
【０００８】
又前記受信系選択スイッチ部は、一方と他方との何れかの受信系の選択操作と連動する電圧ホールド手段の起動用の切替接点と、選択した受信系の受信信号レベルを検出するレベル検出器に入力する切替接点と、選択した受信系対応の可変減衰手段に制御電圧生成部からの減衰量制御電圧を入力する切替接点とを含む構成を有する。
【発明の効果】
【０００９】
本発明によれば、比較的簡単な構成により、何れか一方の受信系の受信断を必要とする場合に、エラー発生を抑制することができる。
【発明を実施するための最良の形態】
【００１０】
この実施例では、無線受信装置は、図１を参照して説明すると、同相合成手段（ここでは、同相合成回路６を用いる）の前段に接続した一方と他方との受信系対応の可変減衰手段（ここでは、可変減衰器５ａ，５ｂを用いる）と、受信断とする受信系を選択する受信系選択スイッチ部１４と、この受信系選択スイッチ部１４により選択した受信系の受信信号レベルをレベル検出器１１により検出してホールドする電圧ホールド手段（ここでは、電圧ホールド回路１２を用いる）と、この電圧ホールド手段（電圧ホールド回路１２）によりホールドされた受信信号レベルに対応した初期減衰量制御電圧を出力し、所定時間経過に従って最大減衰量制御電圧に変化させる減衰量制御電圧を、受信系選択スイッチ部１４により選択した受信系対応の可変減衰手段（可変減衰器）に入力する制御電圧生成部１３とを備えている。
【実施例１】
【００１１】
図１は、本発明に関連する実施例１の要部説明図であり、１ａ，１ｂは低雑音増幅器、２ａ，２ｂは周波数変換器（Ｒ／ＩＦ）、３は局部発振器、４ａ，４ｂは中間周波増幅器、５ａ，５ｂは可変減衰手段としての可変減衰器、６は同相合成手段としての同相合成回路、７は自動レベル制御増幅器（ＡＬＣ）、１１はレベル検出器、１２は電圧ホールド手段としての電圧ホールド回路、１３は制御電圧生成部、１４は受信系選択スイッチ部、ａ，ｂ，ｃは選択接点、１４ａ，１４ｂ，１４ｃは切替接点を示す。なお、受信アンテナと、自動レベル制御増幅器７の後段の復調器等については図示を省略している。
【００１２】
受信系選択スイッチ部１４は、選択接点ａ，ｂ，ｃの何れかに切替える機能を有し、中立位置の選択接点ｃに切替えると、切替接点１４ａはオフ状態、切替接点１４ｂ，１４ｃは中立位置を維持する。この状態で、通常の同相合成による受信処理が行われる。又受信系選択スイッチ部１４の選択接点ａに切替えると、切替接点１４ａがオンとなると共に、切替接点１４ｂ、１４ｃは、それぞれ選択した受信系１側に切替えられる。又選択接点ｂに切替えると、切替接点１４ａがオンとなると共に、切替接点１４ｂ、１４ｃは、それぞれ選択した受信系２側に切替えられる。このような機能を有する受信系選択スイッチ部１４は、例えば、連動動作する電子スイッチ回路やリレー回路等により構成することができる。或いは、図示を省略した制御回路により、受信系選択スイッチ部１４の選択接点ａ，ｂ，ｃの選択に対応して、各切替接点１４ａ，１４ｂ，１４ｃを制御する構成を適用することができる。
【００１３】
又電圧ホールド回路１２は、レベル検出器１１により中間周波信号を検波した検波レベルを保持する機能を有し、制御電圧生成部１３は、電圧ホールド回路１２にホールドされた検波レベルに対応して、切替接点１４ｃを介して接続された可変減衰器５ａ，５ｂの何れかの減衰量を所定の時間で最大値に制御する減衰量制御電圧を生成する機能を有するものである。又可変減衰器５ａ，５ｂは、減衰量制御電圧が入力されない時は、減衰量零のスルー状態であるが、制御電圧生成部１３からの減衰量制御電圧が入力されることにより減衰量が制御され、所定の時間に最大減衰量となるように制御される。
【００１４】
例えば、保守作業等の為に受信系１の受信信号を断とする場合、受信系選択スイッチ部１４の選択接点ａを選択して切替える。それにより、切替接点１４ａはオンとなり、電圧ホールド回路１２はホールド動作が起動され、又切替接点１４ｂは受信系１側に切替えられ、中間周波増幅器４ａの出力の中間周波信号がレベル検出器１１に入力され、レベル検出器１１による検波レベルが電圧ホールド回路１２に入力されてホールドされる。又接点１４ｃは可変減衰器５ａ側に切替えられて、制御電圧生成部１３からの減衰量制御電圧が入力される。この場合、可変減衰器５ａは、Ａ点の信号レベルに対応した初期減衰量に制御され、所定時間経過に従って減衰量が増加するように制御され、所定時間後には最大減衰量に制御される。従って、所定時間後には、Ｂ点の信号レベルはほぼ零レベルに低下し、その間、自動レベル制御増幅器７は、所定レベルの信号を継続して出力する。
【００１５】
又受信系２の受信信号を断とする場合は、受信系選択スイッチ部１４の選択接点ｂを選択して切替えることにより、切替接点１４ａはオン、切替接点１４ｂは受信系２の中間周波信号をレベル検出器１１に入力するように切替えられ、切替接点１４ｃは可変減衰器５ｂに減衰量制御電圧を入力するように切替えられる。又切替接点１４ａがオンとなることにより、電圧ホールド回路１２が起動されて、レベル検出器１１による中間周波信号の検波レベルをホールドし、制御電圧生成部１３にホールドした値を入力する。
【００１６】
制御電圧生成部１３は、電圧ホールド回路１２にホールドされた受信信号が入力されることにより起動され、そのホールドされたレベルに対応した初期減衰量制御電圧を出力するもので、例えば、図３の（Ａ）に示す特性とする。即ち、レベル検出器１１による受信入力検波レベルと、可変減衰器５ａ，５ｂの減衰量（ｍａｘ，ｍｉｎ）と、所定の時間（ｔ）との関係を示すように、可変減衰器の減衰量を、所定の時間ｔ内に、受信入力検波レベルに対応した初期減衰量から最大値ｍａｘとなるように制御する。この場合の所定の時間ｔは、自動レベル制御増幅器７の応答速度に対応して選定することができる。即ち、可変減衰器５ａ，５ｂの何れかによる中間周波信号のレベルを低下させることによる同相合成出力信号レベルが低下しても、自動レベル制御増幅器７は、追従して所定のレベルに増幅して出力することが可能の短時間ｔに選定する。
【００１７】
なお、制御電圧生成部１３は、前述のように、電圧ホールド回路１２によるホールド出力が入力されることにより起動され、そのホールド出力レベルに対応した初期減衰量制御電圧を出力した後、所定の時間ｔ後に最大減衰量制御電圧とする構成を有し、プロセッサ等によるプログラム制御構成や、初期減衰量と最大減衰量と所定の時間ｔとにより、初期減衰量から最大減衰量とする減衰量の変化割合を算出して、減衰量制御電圧を出力する構成等を適用することができる。
【００１８】
又図３の（Ｂ）の（ａ）は、従来例の受信系１，２の何れか一方の受信断時の同相合成出力信号のレベル変化が急激になる場合を示し、（ｂ）は、前述の実施例を適用した場合の同相合成出力信号のレベル変化を示す。即ち、従来例に於いては、図３の（Ｂ）の（ａ）に示すように、一方の受信系の受信断により、同相合成出力信号の急激なレベル変化が発生し、自動レベル制御増幅器７の自動レベル制御が追従できないことにより、後段に於ける復調エラー等が発生するが、この実施例によれば、可変減衰器により、図３の（Ｂ）の（ｂ）に示すように、同相合成出力信号のレベル変化が緩くなるように制御できるから、自動レベル制御増幅器７は充分に追従制御して、後段の復調器への入力信号レベルが低下しないようにすることが可能となり、受信系選択スイッチ部１４の操作によって、保守等を行う受信系を選択することにより、同相合成出力信号レベルの急激な低下を回避して復調エラー等の発生を防止することができる。
即ち、この実施例では、受信断とする受信系の受信信号レベルを、可変減衰器により減衰させて同相合成手段に入力し、その減衰量を所定時間内に最大減衰量となるように制御することにより、同相合成回路の出力信号を入力する自動レベル制御増幅器の出力信号レベルは、選択した受信系の受信断時に急激な変化とならないので、後段の復調処理時のエラー発生を防止することが可能となる。
【図面の簡単な説明】
【００１９】
【図１】本発明の実施例１の要部説明図である。
【図２】本発明の可変減衰器の作用の説明図である。
【図３】従来例の無線受信装置の要部説明図である。
【符号の説明】
【００２０】
１ａ，１ｂ  低雑音増幅器
２ａ，２ｂ  周波数変換器（Ｒ／ＩＦ）
３  局部発振器
４ａ，４ｂ  中間周波増幅器
５ａ，５ｂ  可変減衰器
６  同相合成回路
７  自動レベル制御増幅器（ＡＬＣ）
１１  レベル検出器
１２  電圧ホールド回路
１３  制御電圧生成部
１４  受信系選択スイッチ部、
ａ，ｂ，ｃ  選択接点
１４ａ，１４ｂ，１４ｃ  切替接点
【図１】
2008283511.tif 000003
【図２】
2008283511.tif 000004
【図３】
2008283511.tif 000005